(57)【要約】【課題】ディスクトレイの移動を規制するときの衝撃によるディスクトレイ及びスライドレールの破損を防止する。【解決手段】フレーム９に、左スライドレール１１及び右スライドレール１２をスライド自在に取り付ける。金属製の左スライドレール１１に、上規制片１１ａ及び下規制片１１ｂを、曲げ加工により形成する。金属製の右スライドレール１２に、上規制片１２ａ及び下規制片１２ｂを、曲げ加工により形成する。ディスクトレイ１４の左保持部１４ｂ及び右保持部１４ｃに、第１，第２露出位置当接面１４ｅ，１４ｆ、第１，第２格納位置当接面１４ｇ，１４ｈを形成する。ディスクトレイ１４は、露出位置に向けてスライドしたときに、上規制片１１ａが第１露出位置当接面１４ｅに、下規制片１１ｂが第２露出位置当接面１４ｆに同時に当接してスライドが規制される。【選択図】図６
2008117481.tif 000002
【特許請求の範囲】
【請求項１】
光ディスクを回転させるスピンドルモータ及び光ピックアップが設けられ、筐体内部に格納される格納位置と前記筐体外部に露出される露出位置との間で移動自在なディスクトレイと、
前記筐体内部に設けられ、前記ディスクトレイを移動自在に保持する保持部材と、を備えた光ディスク装置において、
前記ディスクトレイに設けられ、前記ディスクトレイを前記露出位置に位置決めするための露出ストッパと、
前記保持部材に設けられ、前記ディスクトレイが前記露出位置に向けて移動したときに、前記露出ストッパに当接して前記ディスクトレイの露出方向への移動を規制する露出移動規制部と、を備え、
前記露出ストッパ及び前記露出移動規制部を、複数設けたことを特徴とする光ディスク装置。
【請求項２】
前記ディスクトレイに設けられ、前記ディスクトレイを前記格納位置に位置決めするための格納ストッパと、
前記保持部材に設けられ、前記ディスクトレイが前記格納位置に向けて移動したときに、前記格納ストッパに当接して前記ディスクトレイの格納方向への移動を規制する格納移動規制部と、を備え、
前記格納ストッパ及び前記格納移動規制部を、複数設けたことを特徴とする請求項１記載の光ディスク装置。
【請求項３】
前記保持部材を複数設け、
前記複数の保持部材は、前記ディスクトレイの対向する両側端部を保持することを特徴とする請求項１または２記載の光ディスク装置。
【請求項４】
前記保持部材を、前記筐体内部に格納される第１位置と前記筐体外部に露出する第２位置との間で移動自在に設け、
前記保持部材は、前記ディスクトレイが前記露出位置に向けて移動したときに、前記第２位置まで移動し、
前記保持部材が前記第２位置に位置し、前記露出ストッパが前記露出移動規制部に当接しているときに、前記ディスクトレイの後端が前記筐体から露出することを特徴とする請求項１ないし３いずれか１つ記載の光ディスク装置。
【請求項５】
前記ディスクトレイを、樹脂から構成し、
前記保持部材を、金属板から構成し、
前記露出及び格納移動規制部を、曲げ加工された曲げ加工部から構成したことを特徴とする請求項２ないし４いずれか１つ記載の光ディスク装置。
【発明の詳細な説明】
【技術分野】
【０００１】
本発明は、光ピックアップにより光ディスクに記録された情報の再生や記録を行う光ディスク装置に関し、詳しくは、ディスクトレイの移動規制に関するものである。
【背景技術】
【０００２】
ＣＤ−Ｒ、ＤＶＤなどの光ディスクを記憶媒体として用いる光ディスク装置は、デスクトップ型のパソコン（パーソナル  コンピュータ）や、ノートパソコンと称される携帯型のパソコンに内蔵されている。光ディスク装置は、樹脂製のディスクトレイ上に装填された光ディスクを高速で回転させるスピンドルモータと、光ディスクの半径方向に移動しながら光ディスクにレーザ光を照射して情報を記録し、あるいは光ディスクから反射されたレーザ光を受光して情報の読み出しを行う光ピックアップとを備えており、一般的にスリムドライブと称される光ディスク装置では、スピンドルモータ及び光ピックアップは、ディスクトレイに組み込まれている。
【０００３】
ディスクトレイは、光ディスクの着脱時に筐体外部に露出される露出位置と筐体内部に格納される格納位置との間でスライド自在に設けられている。筐体内部には、ディスクトレイのスライド方向にスライド自在に設けられたスライドレールが配されており、スライドレールは、ディスクトレイをスライド自在に保持する。スライドレールは、筐体内部に設けられたガイドレールにスライド自在に取り付けられている。
【０００４】
ディスクトレイが格納位置から露出位置に向けて前方向にスライドしたときには、スライドレールが前方向に移動して、スライドレールに設けられた係合部が、ガイドレールに設けられた係合部に当接することにより、スライドレールの前方向へのスライドが規制される。
【０００５】
スライドレールは、ディスクトレイが露出位置に向けてスライドしたときに、ディスクトレイに当接してスライドを規制する。ディスクトレイには、スピンドルモータ及び光ピックアップが組み込まれており、その重量が重いため、スライドレールには、ディスクトレイが当接したときに大きな衝撃が加わる。その衝撃で変形しないように、スライドレールは、金属により構成されている。スライドレールには、ディスクトレイに設けられたストッパに当接してスライドを規制する規制片が曲げ加工により形成されている。
【０００６】
特許文献１には、スライドレールに係止片を設け、ガイドレールに、係止片に当接してスライドレールのスライドを規制する係止段部を設け、係止片と係止段部との当接面を傾斜状に形成することにより、係止片が係止段部に当接するときの衝撃を緩和し、係止段部の耐久性を向上したディスク装置が提案されている。
【特許文献１】特開２００５−２５８９５号公報
【発明の開示】
【発明が解決しようとする課題】
【０００７】
しかしながら、特許文献１では、係止片と係止段部とが当接する部分は１箇所であり、その１箇所に当接するときの衝撃が集中するため、係止片の端部が、合成樹脂製の係止段部に食い込んだり、係止段部が破損するという問題があった。
【０００８】
本発明は、上記課題を解決するためになされたものであり、ディスクトレイの移動を規制するときの衝撃によるディスクトレイ及びスライドレールの破損を防止することができる光ディスク装置を提供することを目的とする。
【課題を解決するための手段】
【０００９】
上記目的を達成するために、本発明の光ディスク装置は、光ディスクを回転させるスピンドルモータ及び光ピックアップが設けられ、筐体内部に格納される格納位置と前記筐体外部に露出される露出位置との間で移動自在なディスクトレイと；前記筐体内部に設けられ、前記ディスクトレイを移動自在に保持する保持部材と；を備えた光ディスク装置において、前記ディスクトレイに設けられ、前記ディスクトレイを前記露出位置に位置決めするための露出ストッパと；前記保持部材に設けられ、前記ディスクトレイが前記露出位置に向けて移動したときに、前記露出ストッパに当接して前記ディスクトレイの露出方向への移動を規制する露出移動規制部と；を備え、前記露出ストッパ及び前記露出移動規制部を、複数設けたことを特徴とする。
【００１０】
なお、前記複数の露出ストッパは、前記複数の露出移動規制部に同時に当接するものである。また、前記複数の露出ストッパが前記複数の露出移動規制部に当接したときに、前記ディスクトレイが前記露出位置に位置する状態となる。さらに、前記ディスクトレイに、スピンドルモータ及び光ピックアップの駆動を制御する駆動基板を設け、前記筐体内部に、光ディスク装置の駆動を制御する制御回路基板を設け、前記駆動基板と前記制御回路基板とを接続するフレキシブル基板を設けることが好ましい。
【００１１】
また、前記ディスクトレイに設けられ、前記ディスクトレイを前記格納位置に位置決めするための格納ストッパと；前記保持部材に設けられ、前記ディスクトレイが前記格納位置に向けて移動したときに、前記格納ストッパに当接して前記ディスクトレイの格納方向への移動を規制する格納移動規制部と；を備え、前記格納ストッパ及び前記格納移動規制部を、複数設けることが好ましい。なお、前記複数の格納ストッパは、前記複数の格納移動規制部に同時に当接するものである。また、前記複数の格納ストッパが前記複数の格納移動規制部に当接したときに、前記ディスクトレイが前記格納位置に位置する状態となる。
【００１２】
さらに、前記保持部材を複数設け、前記複数の保持部材は、前記ディスクトレイの対向する両側端部を保持することが好ましい。なお、前記ディスクトレイが前後方向に移動自在であるときに、前記複数の保持部材は、前記ディスクトレイの左右の両側端部を保持することが好ましい。また、前記複数の保持部材それぞれに、前記露出移動規制部及び前記格納移動規制部を複数設け、前記露出移動規制部及び前記格納移動規制部の数量に対応して、前記露出ストッパ及び前記格納ストッパの数量も変更されるものである。
【００１３】
また、前記保持部材を、前記筐体内部に格納される第１位置と前記筐体外部に露出する第２位置との間で移動自在に設け、前記保持部材は、前記ディスクトレイが前記露出位置に向けて移動したときに、前記第２位置まで移動し、前記保持部材が前記第２位置に位置し、前記露出ストッパが前記露出移動規制部に当接しているときに、前記ディスクトレイの後端が前記筐体から露出することが好ましい。
【００１４】
さらに、前記ディスクトレイを、樹脂から構成し、前記保持部材を、金属板から構成し、前記露出及び格納移動規制部を、曲げ加工された曲げ加工部から構成することが好ましい。
【発明の効果】
【００１５】
本発明の光ディスク装置によれば、ディスクトレイに設けられた露出ストッパと、保持部材に設けられた露出移動規制部とを、複数設け、複数の露出ストッパは、同時に複数の露出移動規制部に当接するから、露出ストッパが露出移動規制部に当接してディスクトレイの露出方向への移動を規制するときの衝撃を分散させることができ、衝撃によるディスクトレイ及び保持部材の破損を防止することができる。
【００１６】
また、ディスクトレイに設けられた格納ストッパと、保持部材に設けられた格納移動規制部とを、複数設け、複数の格納ストッパは、同時に複数の格納移動規制部に当接するから、格納ストッパが格納移動規制部に当接してディスクトレイの格納方向への移動を規制するときの衝撃を分散させることができ、衝撃によるディスクトレイ及び保持部材の破損を防止することができる。
【発明を実施するための最良の形態】
【００１７】
図１に示すように、本発明を実施した光ディスク装置２を内蔵したノート型パソコンにおいて、光ディスク装置２はパソコン本体３の一方の側面に組み込まれる。図１は、光ディスク４を装填するためにトレイユニット５をいっぱいに引き出した様子を表している。光ディスク４の装填後、フロントカバー６を押圧するとトレイユニット５はパソコン本体３内に完全に格納された状態でロックされる。トレイユニット５を引き出すときには、フロントカバー６に設けられたイジェクトボタン６ａを押す。イジェクトボタン６ａが押されたとき、光ピックアップ１５（図２参照）が光ディスク４にアクセスしていなければ格納位置（図３参照）でのロックが解除され、トレイユニット５がバネの付勢により所定ストローク（例えば１０ｍｍ程度）突出するから、ユーザはフロントカバー６をつまんで図示の露出位置まで引き出し操作することができる。
【００１８】
図２に示すように、光ディスク装置２は、パソコン本体３の内部に固定される金属薄板製のフレーム９及びフレーム９の上面を覆うカバー（図示せず）により構成される筐体１０と、フレーム９の左右の側壁に設けられたガイドレールに沿ってスライドする左スライドレール（保持部材）１１及び右スライドレール（保持部材）１２と、各スライドレール１１，１２に対してさらにスライド自在に組み付けられたトレイユニット５と、を備える。フレーム９の側壁の内面には各スライドレール１１，１２のスライドをガイドする樹脂製のガイドレールが固定されている。
【００１９】
本実施形態では、トレイユニット５が、格納位置から露出位置までスライドするときには、先ず、各スライドレール１１，１２が、トレイユニット５のスライドに伴い前方向にスライドして、各スライドレール１１，１２に形成された当接部が、ガイドレールに形成された係合部に当接して、各スライドレール１１，１２の前方向へのスライドが規制される。その後、さらにトレイユニット５を前方向にスライドさせて、トレイユニット５を露出位置までスライドさせる。各スライドレール１１，１２は、筐体１０の内部に格納される第１位置（図３参照）と筐体１０の外部に露出する第２位置（図２参照）との間で移動自在に設けられている。各スライドレール１１，１２は、トレイユニット５（ディスクトレイ１４）が露出位置に向けて移動したときに、第２位置まで移動する。本実施形態では、各スライドレール１１，１２が第２位置に位置し、ディスクトレイ１４を露出位置までスライドさせると、ディスクトレイ１４の後端が筐体１０から露出するようにされている。
【００２０】
フレーム９には、光ディスク装置２の駆動を制御する電気回路基板１３が取り付けられており、電気回路基板１３は、フレーム９とカバー（図示せず）とからなる筐体１０の内部に収納されている。
【００２１】
トレイユニット５は、光ディスク４の外径に対応した窪みが形成された樹脂製のディスクトレイ１４と、光ピックアップ１５を有し、ディスクトレイ１４の開口部１４ａを下側から塞ぐように組み付けられたピックアップユニット１６と、を備える。
【００２２】
ピックアップユニット１６には、光ディスク４を回転させるスピンドルモータ１７、スピンドルモータ１７の駆動軸に固定されたチャッキングコア１８が設けられている。ディスクトレイ１４の窪みに合わせて光ディスク４を装填すると、チャッキングコア１８が光ディスク４のチャック孔４ａ（図１参照）に係合して光ディスク４を保持する。
【００２３】
ディスクトレイ１４には、光ピックアップ１５及びスピンドルモータ１７の駆動を制御する制御基板（図示せず）が設けられており、この制御基板は、フレキシブル基板１９により電気回路基板１３に接続されている。
【００２４】
フレーム９の奥側にはイジェクトバネ２１を含むイジェクト機構２２が設けられ、イジェクトボタン６ａを押して格納位置でのロックが解除されると、トレイユニット５はイジェクトバネ２１の付勢により所定ストロークだけ突出する。なお、符号６ｂは光ディスク４にアクセス中であることを外部表示する表示部、符号６ｃは緊急操作用のイジェクト穴を示す。故障やパソコンの暴走などでイジェクトボタン６ａの操作ではイジェクトできなくなっても、イジェクト穴６ｃに固い細線を差し込むことによって格納位置でのロックを解除してディスクトレイ１４を引き出すことが可能となる。
【００２５】
図２及び図３に示すように、露出位置（図２参照）からディスクトレイ１４を押し込むと、各スライドレール１１，１２に保持されたディスクトレイ１４が後方に向かってスライドし、各スライドレール１１，１２がフレーム９に固定されたガイドレール上を後方に向かってスライドする。フレーム９に対してディスクトレイ１４が所定の位置まで押し込まれると、イジェクトバネ２１をチャージした状態でディスクトレイ１４にフック（図示せず）が係合し、ディスクトレイ１４は格納位置（図３参照）に機械的にロックされる。
【００２６】
図４及び図５に示すように、左スライドレール１１は、ディスクトレイ１４をスライド自在に保持するものであり、金属板を曲げ加工されて形成されている。左スライドレール１１には、ディスクトレイ１４（第１，第２露出位置当接面１４ｅ，１４ｆ、第１，第２格納位置当接面１４ｇ，１４ｈ）に当接して、ディスクトレイ１４のスライドを規制する上規制片１１ａ及び下規制片１１ｂが、曲げ加工により形成されている。
【００２７】
右スライドレール１２は、ディスクトレイ１４をスライド自在に保持するものであり、金属板を曲げ加工されて形成されている。右スライドレール１２には、ディスクトレイ１４（第１，第２露出位置当接面１４ｅ，１４ｆ、第１，第２格納位置当接面１４ｇ，１４ｈ）に当接して、ディスクトレイ１４のスライドを規制する上規制片１２ａ及び下規制片１２ｂが、曲げ加工により形成されている。上規制片１２ａ及び下規制片１２ｂは、左スライドレール１１の上規制片１１ａ及び下規制片１１ｂと同様の形状で形成されている。なお、各スライドレール１１，１２を構成する素材は、金属に限定されることなく、適宜変更可能である。
【００２８】
ディスクトレイ１４の左側面には、左スライドレール１１により保持される左保持部１４ｂが形成され、ディスクトレイ１４の右側面には、右スライドレール１２により保持される右保持部１４ｃが形成されている。
【００２９】
図４〜図６に示すように、左保持部１４ｂの左側面には、各規制片１１ａ，１１ｂが挿入されるガイド溝１４ｄが形成されている。また、右保持部１４ｃの右側面にも、各規制片１２ａ，１２ｂが挿入されるガイド溝１４ｄが形成されている。ガイド溝１４ｄは、ディスクトレイ１４のスライド方向（前後方向）に延びて形成されている。ガイド溝１４ｄは、前後方向（図６における左右方向）の各端部が、上下方向において段差状になるように形成されている。これにより、左保持部１４ｂ及び右保持部１４ｃには、第１露出位置当接面（露出ストッパ）１４ｅ、第２露出位置当接面（露出ストッパ）１４ｆ、第１格納位置当接面（格納ストッパ）１４ｇ、第２格納位置当接面（格納ストッパ）１４ｈが形成される。なお、図４においては、右保持部１４ｃに形成されたガイド溝１４ｄ及び各当接面１４ｅ〜１４ｈの図示を省略している。
【００３０】
ディスクトレイ１４を、露出位置に向けて前方向（図６における右方向）にスライドしたときには、図６（Ｂ）に示すように、第１露出位置当接面１４ｅが上規制片１１ａに、第２露出位置当接面１４ｆが下規制片１１ｂに同時に当接し、さらに、第１露出位置当接面１４ｅが上規制片１２ａに、第２露出位置当接面１４ｆが下規制片１２ｂに同時に当接して、ディスクトレイ１４の露出方向へのスライドが規制される。本実施形態では、ディスクトレイ１４の露出方向への移動を規制する露出移動規制部は、左スライドレール１１においては上規制片１１ａと下規制片１１ｂとから構成され、右スライドレール１２においては上規制片１２ａと下規制片１２ｂとから構成されている。
【００３１】
また、ディスクトレイ１４を、格納位置に向けて後方向（図６における左方向）にスライドしたときには、図６（Ｃ）に示すように、第１格納位置当接面１４ｇが上規制片１１ａに、第２格納位置当接面１４ｈが下規制片１１ｂに同時に当接し、さらに、第１格納位置当接面１４ｇが上規制片１２ａに、第２格納位置当接面１４ｈが下規制片１２ｂに同時に当接して、ディスクトレイ１４の格納方向へのスライドが規制される。本実施形態では、ディスクトレイ１４の格納方向への移動を規制する格納移動規制部は、左スライドレール１１においては上規制片１１ａと下規制片１１ｂとから構成され、右スライドレール１２においては上規制片１２ａと下規制片１２ｂとから構成されている。
【００３２】
次に、上記のように構成された光ディスク装置２の作用について説明する。ユーザは、格納位置に位置するトレイユニット５を露出位置までスライドさせるときには、フロントカバー６に設けられたイジェクトボタン６ａを押す。イジェクトボタン６ａが押されると、格納位置（図３参照）でのロックが解除され、トレイユニット５がイジェクトバネ２１の付勢により、１０ｍｍ程度突出（前方向にスライド）する。そして、ユーザはフロントカバー６をつまんで、トレイユニット５を露出位置までスライドさせる。
【００３３】
ユーザが、トレイユニット５を露出位置に向けてスライドさせると、先ず、各スライドレール１１，１２が、トレイユニット５のスライドに伴い前方向にスライドして、各スライドレール１１，１２に形成された当接部が、ガイドレールに形成された係合部に当接して、各スライドレール１１，１２の前方向へのスライドが規制される（各スライドレール１１，１２が筐体１０の外部に露出する第２位置に位置する）。
【００３４】
各スライドレール１１，１２の前方向へのスライドが規制された状態から、さらにトレイユニット５が前方向にスライドされると、図６（Ｂ）に示すように、ディスクトレイ１４の第１露出位置当接面１４ｅが左スライドレール１１の上規制片１１ａに、第２露出位置当接面１４ｆが下規制片１１ｂに同時に当接し、さらに、第１露出位置当接面１４ｅが右スライドレール１２の上規制片１２ａに、第２露出位置当接面１４ｆが下規制片１２ｂに同時に当接して、トレイユニット５（ディスクトレイ１４）の露出方向へのスライドが規制される。スライドが規制された位置が、トレイユニット５の露出位置となる。
【００３５】
このように、ディスクトレイ１４が格納位置から露出位置に向けてスライドしたときに、第１露出位置当接面１４ｅが上規制片１１ａに、第２露出位置当接面１４ｆが下規制片１１ｂに同時に当接して、ディスクトレイ１４のスライドが規制されるから、ディスクトレイ１４が左スライドレール１１に当接するときの衝撃を、上規制片１１ａと下規制片１１ｂとに分散させることができる。これにより、ディスクトレイ１４のスライドを規制するときの衝撃によるディスクトレイ１４及び左スライドレール１１の破損を防止することができる。なお、右スライドレール１２も、左スライドレール１１と同様の形状で形成されているため、ディスクトレイ１４のスライドを規制するときの衝撃を分散させることができ、衝撃による右スライドレール１２の破損を防止することができる。
【００３６】
また、ディスクトレイ１４のスライドを規制するときの衝撃によるディスクトレイ１４及び左スライドレール１１の破損を防止することにより、ディスクトレイ１４の露出位置の位置ズレを防止することができ、ディスクトレイ１４の露出位置が前方向にズレることに起因するフレキシブル基板１９の破損を防止することができる。
【００３７】
なお、上記実施形態では、左スライドレール１１に、上規制片１１ａと下規制片１１ｂとを形成し、右スライドレール１２に、上規制片１２ａと下規制片１２ｂとを形成したが、各スライドレール１１，１２に形成する規制片の数量は適宜変更可能である。また、規制片の数量に応じて、規制片に当接するディスクトレイ１４の当接面の数量も変更されるものである。
【００３８】
また、上記実施形態では、上規制片１１ａと下規制片１１ｂとを、上下方向において異なる位置に、且つ前後方向において近接する位置に形成したが、各規制片１１ａ，１１ｂが、同時にディスクトレイ１４に当接するようにされていればよく、各規制片１１ａ，１１ｂを、前後方向において同じ位置に形成するようにしてもよい。
【００３９】
さらに、図７に示すように、上規制片１１ａ及び下規制片１１ｂの代わりに、左スライドレール１１に、前規制片１１ｃ及び後規制片１１ｄを、上下方向において同じ高さ位置に、且つ、前後方向において離れた位置に形成するようにしてもよい。この場合には、ガイド溝１４ｄの代わりに、ディスクトレイ１４の左保持部１４ｂに、前ガイド溝１４ｉ及び後ガイド溝１４ｊを形成する。
【００４０】
前ガイド溝１４ｉ及び後ガイド溝１４ｊは、前方及び後方の端部が直線状に形成されている。これにより、ディスクトレイ１４の左保持部１４ｂには、前露出位置当接面（露出ストッパ）１４ｋ、前格納位置当接面（格納ストッパ）１４Ｌ、後露出位置当接面（露出ストッパ）１４ｍ、後格納位置当接面（格納ストッパ）１４ｎが形成される。
【００４１】
ディスクトレイ１４を、露出位置に向けて前方向にスライドしたときには、前露出位置当接面１４ｋが前規制片１１ｃに、後露出位置当接面１４ｍが後規制片１１ｄに同時に当接して、ディスクトレイ３４の露出方向へのスライドが規制される。
【００４２】
また、ディスクトレイ３４を、格納位置に向けて後方向にスライドしたときには、前格納位置当接面１４Ｌが前規制片１１ｃに、後格納位置当接面１４ｎが後規制片１１ｄに同時に当接して、ディスクトレイ３４の格納方向へのスライドが規制される。
【００４３】
さらに、図７に示す実施形態では、左スライドレール１１に、前規制片１１ｃと後規制片１１ｄとを形成する例を示したが、右スライドレール１２の構造を、左スライドレール１１と同様の構造にしてもよい。この場合には、右保持部１４ｃに前ガイド溝１４ｉ及び後ガイド溝１４ｊを形成して、右保持部１４ｃにも、前露出位置当接面１４ｋ、前格納位置当接面１４Ｌ、後露出位置当接面１４ｍ、後格納位置当接面１４ｎを形成する。
【００４４】
図８〜図１０に他の実施形態を示す。図１〜図６に示す実施形態のものと同様の構成部材には同一の符号を付し、その詳細な説明を簡略化する。この実施形態では、右スライドレール１２と左スライドレール３１とにより、ディスクトレイ３４をスライド自在に保持する。
【００４５】
左スライドレール３１は、金属板を曲げ加工されて形成されており、ディスクトレイ３４（第１露出位置当接面３４ｄ、格納位置当接面３４ｆ）に当接して、ディスクトレイ１４のスライドを規制する第１規制片３１ａと、ディスクトレイ３４（第２露出位置当接面３４ｅ）に当接して、ディスクトレイ１４のスライドを規制する第２規制片３１ｂと、が曲げ加工により形成されている。第２規制片３１ｂは、第１規制片３１ａの一部を曲げ加工することにより形成されている。なお、左スライドレール３１を構成する素材は、金属に限定されることなく、適宜変更可能である。
【００４６】
ディスクトレイ３４の左側面には、左スライドレール３１により保持される左保持部３４ａが形成され、ディスクトレイ３４の右側面には、右スライドレール１２により保持される右保持部３４ｂが形成されている。右保持部３４ｂは、上記実施形態の右保持部１４ｃと同様の形状で形成されている。
【００４７】
左保持部３４ａの左側面には、各規制片３１ａ，３１ｂが挿入されるガイド溝３４ｃが形成されている。ガイド溝３４ｃは、ディスクトレイ１４のスライド方向（前後方向）に延びて形成されている。ガイド溝３４ｃは、後方（図１０における左方）の端部が、左右方向において段差状になるように形成され、前方（図１０における右方）の端部が、直線状に形成されている。これにより、ディスクトレイ３４には、第１露出位置当接面（露出ストッパ）３４ｄ、第２露出位置当接面（露出ストッパ）３４ｅ、格納位置当接面（格納ストッパ）３４ｆが形成される。
【００４８】
ディスクトレイ３４を、露出位置に向けて前方向（図１０における右方向）にスライドしたときには、図１０（Ｂ）に示すように、第１露出位置当接面３４ｄが第１規制片３１ａに、第２露出位置当接面３４ｅが第２規制片３１ｂに同時に当接して、ディスクトレイ３４の露出方向へのスライドが規制される。なお、このとき、右保持部３４ｂの第１露出位置当接面１４ｅが上規制片１２ａに、右保持部３４ｂの第２露出位置当接面１４ｆが下規制片１２ｂにそれぞれ当接している。本実施形態では、ディスクトレイ３４の露出方向への移動を規制する露出移動規制部は、左スライドレール３１においては第１規制片３１ａと第２規制片３１ｂとから構成されている。
【００４９】
また、ディスクトレイ３４を、格納位置に向けて後方向（図１０における左方向）にスライドしたときには、図１０（Ｃ）に示すように、格納位置当接面３４ｆが第１規制片３１ａに当接して、ディスクトレイ３４の格納方向へのスライドが規制される。なお、このとき、右保持部３４ｂの第１格納位置当接面１４ｇが上規制片１２ａに、右保持部３４ｂの第２格納位置当接面１４ｈが下規制片１２ｂにそれぞれ当接している。本実施形態では、ディスクトレイ３４の格納方向への移動を規制する格納移動規制部は、左スライドレール３１においては第１規制片３１ａから構成されている。
【００５０】
このように、第１規制片３１ａの一部を曲げ加工することにより、第２規制片３１ｂを形成したから、複数の規制片をそれぞれ独立して左スライドレール３１に形成するタイプに比べて、複数の規制片（第１規制片３１ａ、第２規制片３１ｂ）の位置ズレを防止することができる。また、第２規制片３１ｂと第２露出位置当接面（露出ストッパ）３４ｅとの接触（当接）面積を増加することができる。これにより、より一層確実に、ディスクトレイ３４のスライドを規制するときの衝撃を分散させることができ、衝撃によるディスクトレイ３４及び左スライドレール３１の破損を防止することができる。
【００５１】
なお、上記実施形態では、左スライドレール３１に、第１規制片３１ａと第２規制片３１ｂとを形成したが、左スライドレール３１に形成する規制片の数量は適宜変更可能である。また、規制片の数量に応じて、規制片に当接するディスクトレイ１４の当接面の数量も変更されるものである。
【００５２】
また、第２規制片３１ｂを、図１１に示すように、曲線状（図１１（Ａ）参照）や、矢印状（図１１（Ｂ）参照）に形成するようにしてもよい。なお、第２規制片３１ｂの形状に応じて、第２露出位置当接面３４ｅの形状も変更されるものである。
【００５３】
さらに、上記実施形態では、左スライドレール３１に、第１規制片３１ａと第２規制片３１ｂとを形成する例を示したが、右スライドレール１２の構造を、左スライドレール３１と同様の構造にしてもよい。この場合には、右保持部３４ｂにガイド溝３４ｃを形成して、右保持部３４ｂにも、第１露出位置当接面（露出ストッパ）３４ｄ、第２露出位置当接面（露出ストッパ）３４ｅ、格納位置当接面（格納ストッパ）３４ｆを形成する。
【００５４】
また、上記実施形態では、ガイド溝３４ｃの前方（図１０における右方）の端部を直線状に形成して、格納位置当接面（格納ストッパ）３４ｆを形成したが、ガイド溝３４ｃの前方端部を、図１〜図６に示す実施形態のガイド溝１４ｄの前方端部のように、上下方向において段差状になるように形成してもよい。この場合、図６に示す符号を引用して説明すると、第１格納位置当接面（格納ストッパ）１４ｇが第２規制片３１ｂに、第２格納位置当接面（格納ストッパ）１４ｈが第１規制片３１ａに同時に当接して、ディスクトレイ３４の格納方向へのスライドが規制される。
【図面の簡単な説明】
【００５５】
【図１】本発明の光ディスク装置を備えたノート型パソコンの外観図である。
【図２】トレイユニットが露出位置に位置するときの光ディスク装置を示す斜視図である。
【図３】トレイユニットが格納位置に位置するときの光ディスク装置を示す斜視図である。
【図４】左スライドレールと右スライドレールとディスクトレイとを示す斜視図である。
【図５】左スライドレールとディスクトレイの左保持部とを示す側面断面図である。
【図６】左スライドレールの上規制片及び下規制片とディスクトレイとを示す側面図である。
【図７】左スライドレールに前規制片及び後規制片を形成した実施形態の左スライドレールとディスクトレイとを示す斜視図である。
【図８】左スライドレールに第１規制片及び第２規制片を形成した実施形態の左スライドレールと右スライドレールとディスクトレイとを示す斜視図である。
【図９】図８に示す実施形態の左スライドレールとディスクトレイの左保持部とを示す側面断面図である。
【図１０】図８に示す実施形態の左スライドレールの第１規制片及び第２規制片とディスクトレイとを示す上面断面図である。
【図１１】図８に示す実施形態の第２規制片の形状を変えた場合の第１規制片及び第２規制片を示す斜視図である。
【符号の説明】
【００５６】
２  光ディスク装置
５  トレイユニット
１１  左スライドレール（保持部材）
１１ａ  上規制片
１１ｂ  下規制片
１２  右スライドレール（保持部材）
１２ａ  上規制片
１２ｂ  下規制片
１４，３４  ディスクトレイ
１４ｂ，３４ａ  左保持部
１４ｃ，３４ｂ  右保持部
１４ｄ，３４ｃ  ガイド溝
１４ｅ  第１露出位置当接面（露出ストッパ）
１４ｆ  第２露出位置当接面（露出ストッパ）
１４ｇ  第１格納位置当接面（格納ストッパ）
１４ｈ  第２格納位置当接面（格納ストッパ）
３１ａ  第１規制片
３１ｂ  第２規制片
３４ｄ  第１露出位置当接面（露出ストッパ）
３４ｅ  第２露出位置当接面（露出ストッパ）
３４ｆ  格納位置当接面（格納ストッパ）
【図１】
2008117481.tif 000003
【図２】
2008117481.tif 000004
【図３】
2008117481.tif 000005
【図４】
2008117481.tif 000006
【図５】
2008117481.tif 000007
【図６】
2008117481.tif 000008
【図７】
2008117481.tif 000009
【図８】
2008117481.tif 000010
【図９】
2008117481.tif 000011
【図１０】
2008117481.tif 000012
【図１１】
2008117481.tif 000013